(57)【要約】      （修正有）【課題】一人の作業者で測定パイプに正しく整合し且つ確実にクランプオン式流量測定装置を装着する。【解決手段】装着装置は、一つに自由端及びキャッチ手段５が装着される一端を有する留め具３を有する保持ストラップ４からなり、前記保持ストラップ４が前記キャッチ手段５を貫通して導かれることによって測定パイプ１に装着されるように、前記保持ストラップ４及び前記キャッチ手段５が作製され、前記測定パイプ１に巻回される前記保持ストラップ４がしっかりと引っ張られ、前記キャッチ手段４に設けられたキャッチエレメントが、前記保持ストラップ４の前記留め具３と相互に作用し合い、それによって前記保持ストラップ４が再び緩まないことを確保し、装着される。【選択図】図１
2007121299.tif 000002
【特許請求の範囲】
【請求項１】
装着装置によって、流体が流れる測定パイプ（１）にクランプオン式流量測定装置を装着するための方法であって、前記装着装置は、一つに自由端及びキャッチ手段（５）が装着される一端を有する留め具（３）を有する保持ストラップ（４）を有し、保持ストラップ（４）がキャッチ手段（５）を貫通して導かれることによって、保持ストラップ（４）が測定パイプ（１）に装着されるように、前記保持ストラップ（４）及びキャッチ手段（５）が作製され、前記測定パイプ（１）に巻回される保持ストラップ（４）がしっかりと引っ張られ、前記キャッチ手段（４）に設けられたキャッチエレメントが、保持ストラップ（４）の留め具と相互に作用し合い、それによって保持ストラップ（４）が再び緩まないことを確保し、保持ストラップ（４）に装着され、クランプオン式質量流量計が固定される保持手段を有するものにおいて、最初に、前記装着装置が、前記測定パイプ（１）に装着され、保持ストラップ（４）が完全に引っ張られることなしに、クランプオン式流量測定装置が前記保持手段に装着された後、クランプオン式流量測定装置が、前記測定パイプに、完全に固定されることなしに装着され、前記クランプオン式流量測定装置が整合され、そして前記保持手段（５）が測定パイプ（１）から持ち上げられることによって、保持ストラップ（４）が完全に引っ張られ、クランプオン式流量測定装置を前記保持手段に完全に装着されて、前記クランプオン式流量測定装置が前記測定パイプ（１）に保持固定されることを特徴とするクランプオン式流量測定装置の装着方法。
【請求項２】
前記保持手段は、ネジロッド（１２）であることを特徴とする請求項１記載のクランプオン式流量測定装置の装着方法。
【請求項３】
前記クランプオン式流量測定装置は、ネジロッド（１２）にねじ込まれるネジ手段によって前記測定パイプ（１）に装着されることを特徴とする請求項２記載のクランプオン式流量測定装置の装着方法。
【請求項４】
前記保持ストラップ（４）にテンションをかけるために、前記ネジ手段は、その一部が支持部として意図されるクランプオン式流量測定装置に作用することを特徴とする請求項３記載のクランプオン式流量測定装置の装着方法。
【請求項５】
流体が流れる測定パイプ（１）にクランプオン式流量測定装置を装着する装着装置において、
前記装着装置は、一つの自由端及びキャッチ手段（５）が装着される一端を有する留め具（３）を設けた保持ストラップ（４）を有し、前記保持ストラップ（４）及び前記キャッチ手段（５）が、前記保持ストラップ（４）がキャッチ手段（５）に貫通するように導かれることによって、前記保持ストラップ（４）が測定パイプ（１）に固定されるように、前記保持ストラップ(４)及びキャッチ手段（５）を作製し、前記測定パイプ（１）に巻回された前記保持ストラップ（４）が、前記測定パイプ（１）にしっかりと引っ張られ、キャッチ手段（５）に設けられたキャッチエレメントが、保持ストラップ（４）の留め具（３）と相互作用し、且つこれによって保持ストラップ（４）が再び緩くならないことを確保し、前記保持ストラップ（４）に装着され、クランプオン式流量測定装置が装着されるネジロッド（１２）が設けられ、このネジロッド（１２）にねじ込まれるネジ手段によってクランプオン式流量測定装置が測定パイプ（１）に装着可能であり、且つ前記保持ストラップ（４）が、ネジ手段がネジロッドにねじ込まれることによって完全に引っ張られ、それによって、クランプオン式流量測定装置に作用し、測定パイプ（１）の一部が、キャッチ手段（５）が測定パイプから持ち上げられるように支持部として設けられ、これによって堰クランプオン式流量測定装置が前記測定パイプ（１）に保持固定されることを特徴とする装着装置。
【発明の詳細な説明】
【技術分野】
【０００１】
この発明は、流体が流れる測定チューブにクランプオン式流量測定装置を装着するための方法及びクランプオン式流量測定装置の装着のための装着装置に関する。
【背景技術】
【０００２】
従来の装着装置は、キャリヤとしてクランプオン手段を流体が流れるパイプに装着するために、例えば付加的な装置として使用されるケーブルバインダからなる。流体が流れるパイプに関して、クランプオン式超音波流量測定装置のようなクランプオン式流量測定装置が、クランプオン手段として可能であるように、流体の流量を測定することが要求される。保持ストラップの捕捉として、キャッチ手段の捕捉要素が噛合する凹部に典型的な等距離空間で、保持ストラップのノコギリ歯輪郭又は穿孔を設けるような種々の可能性がある。
【０００３】
クランプオン式流量測定装置において、重要なことは、それらが、現存するパイプラインに容易に装着することができることである。それゆえに、独立した流量測定装置を挿入するために現存するパイプラインの一部を切り離す必要がない。これは、クランプオン式流量測定装置を、用途の広いものにし、且つ簡単に使用することができるようにするものである。
【０００４】
ケーブルバインダによって上述したようなクランプオン式流量測定装置をパイプに装着する時に、装置の整合性及び装着が、複雑で且つ難しいという重要な問題点がある。この作業が、一人の作業者によって実行されるべきものであるならば、「第３」の手が必要となる。言い換えると、測定装置は、困難な作業によって又はもう一人の作業者の手助けによって正しく整合させ且つ固定されることができる。不十分な整合性に加えて、それぞれの装置に必要な保持力が、全ての場合において常に確保されることができないこと、及びプランプオン手段の取り外しが、ケーブルバインダの切断のみで可能であることが、プランプオン手段の装着にケーブルバインダを使用することにおける問題点である。
【特許文献１】特開２０００−４６６０７号公報
【特許文献２】特開２００３−７５２１９号公報
【特許文献３】特開２００３−２６２５４５号公報
【発明の開示】
【発明が解決しようとする課題】
【０００５】
上述した問題の背景に対して、本願発明の目的は、流体が流れる測定パイプへのクランプオン式流量側的装置の装着方法と、測定パイプに正しく整合し且つ確実にクランプオン式流量測定装置を装着するために、一人の作業者のみによっても容易に使用することができる対応する装着装置を提供することにある。
【課題を解決するための手段】
【０００６】
この目的は、装着装置によって、流体が流れる測定パイプに、クランプオン式流量測定装置を装着する方法によって達成され、その方法において、前記装着装置が、一つの自由端とキャッチ手段が装着される一端を有する留め具を有する保持ストラップを有し、前記保持ストラップ及びキャッチ手段は、保持ストラップがキャッチ手段に導かれ通過し、測定パイプの回りに回された保持ストラップをしっかりと引くことによって、保持ストラップが測定パイプに固定されるように作製され、それぞれの装置に設けられた留め具エレメントが、保持ストラップの留め具と相互に作用し、それによって、確実に保持ストラップをゆるまなくし、前記保持ストラップに装着され、前記クランプオン式流量測定装置が固定される保持手段を設け、最初に、装着装置が、前記測定パイプに装着され、その後で、クランプオン式流量測定装置が、前記保持ストラップが完全に張った状態ではないがそれへの完全固定ではなく、保持手段に装着され、その後に、クランプオン式流量測定装置が調整され、そして、前記クランプオン式流量測定装置が測定パイプに保持され且つ固定されるように、測定パイプからキャッチ手段を持ち上げて保持ストラップを完全に引っ張ることによって、前記クランプオン流量測定装置を、前記保持手段に完全に装着するものである。
【０００７】
さらに、この発明の目的は、流体が流れる測定パイプに、クランプオン式流量測定装置を装着するための装着装置によって実質的に達成される。この装着装置は、一つの自由端と、キャッチ手段が装着される一端とを有する留め具を有する保持ストラップを有し、前記保持ストラップ及びキャッチ手段は、保持ストラップがキャッチ手段に導かれ通過し、測定パイプの回りに回された保持ストラップをしっかりと引くことによって、保持ストラップが測定パイプに固定されるように作製され、それぞれの装置に設けられた留め具エレメントが、保持ストラップの留め具と相互に作用し、それによって、確実に保持ストラップをゆるまないようにし、前記保持ストラップに装着され、前記クランプオン式流量測定装置が固定されるネジロッドを設け、前記クランプオン式流量測定装置が、前記ネジロッドにねじ込まれるネジ手段によって測定パイプに装着可能であり、且つ前記保持ストラップが前記ネジロッドにねじ込まれるネジ手段によって完全に引っ張られ、それによって、クランプオン式流量測定装置に作用し、測定パイプの一部が、前記キャッチ手段が測定パイプから持ち上げられるように支持部として設けられ、これによって、クランプオン式流量測定装置が測定パイプに保持固定されるものである。
【０００８】
本発明によれば、保持手段の保持ストラップは、装着するべき装置を測定パイプに、直接にではなく保持ストラップに装着される保持装置によって固定する。このように、本発明によれば、測定パイプへの保持ストラップの装着及び装着装置への装置の装着は、それぞれ独立して行なうことができる。
【０００９】
これは、これら２つの装着が、お互いに独立して操作され且つ固定されるという利点を有し、直接それを固定することなしに、測定パイプに装置を装着することが可能となるという利点を有する。これは、第１段階で、装置が「緩く」測定パイプに装着されるので、再び緩むことがないが、第２段階で、装置の整合をとり最終的にそれを固定するために測定パイプに対して移動可能な状態を保持するので、その整合性は、想定パイプに固定され、装置をけっして容易に移動できないようにすることができる。
【００１０】
さらに、本願発明によれば、前記保持手段は、装置が保持手段に装着されるときに、保持ストラップに張力が係るように作製される。これは、測定パイプの回りに回され、装置が保持手段に装着される時に測定パイプにしっかりと固定される保持ストラップが、装着装置及び測定パイプに結合される装置の最終的な固定が達成されるように、付加的な力、特に張力を受けることを意味する。
【００１１】
いろいろな種類のマウントが、保持手段として使用される。しかしながら、本願発明の好ましい発展例によれば、前記保持手段は、ロッド、好ましくはネジロッドである。ネジロッドが保持手段として設けられる時には、本願発明の好ましい発展例によれば、前記装置は、ネジロッドにねじ込まれたネジ手段によって測定パイプに装着されることが提供される。この点で、手動により動かされる又は道具により動かされるナットが有効であると証明された。それらは、相対的に大きいベアリング表面を有し、それによってそれらは、その装着のための装置で作用する。
【００１２】
保持ストラップの張力は、種々の手段によって達成される。しかしながら、本願発明の好ましい発展例によれば、保持ストラップを引っ張るために、前記ネジ手段は、その一部に関して測定パイプが支持当接として意図される装置に作用する。これは、装着の間、特に装置を測定パイプにネジ止めする間、ネジ手段のしっかりとしたねじ込みの過程で、前記保持ストラップが、付加的に引っ張られるように、実質的に測定チューブの外側に持ち上げられることを意味する。十分な引っ張りによって、前記測定パイプへの前記装置の最終的なしっかりとした固定が達成される。
【発明を実施するための最良の形態】
【００１３】
以下、この発明の実施例について図面により説明する。
【実施例１】
【００１４】
図１は、クランプオン式の超音波流量測定装置を、測定パイプ１に装着するために使用される本願発明の好ましい例に係る装着装置を示すものである。このように、前記測定パイプ１は、クランプオン流量測定装置が付属手段として装着されるべきキャリヤである。ここで、クランプオン式超音波流量測定装置のハウジング２は、ここでは特に示されない２つの超音波変換器のための受けとして又は同様にガイドとして使用されることが示される。
【００１５】
前記測定パイプ１上の前記クランプオン式超音波流量測定装置のハウジング２は、下記する段階において装着される。
【００１６】
最初に、例えば図３及び図４からわかるように、留め具３を有する保持ストラップ４が、保持ストラップ４の一端が一方の側から挿入されるように設けられるキャッチ手段５によって前記装着パイプ１に装着される。このキャッチ手段５について、これらの形状は、キャッチ手段５の左側から受け可能であり、保持ストラップ４の一端が挿入され、留め機構によって底にロックされる底孔部６を示している。他のものとの間の留め機構は、スプリング機構７と、実質的にＶ字型のリーフスプリング１６が頂部から作用するレバー８とを有する。
【００１７】
スプリング機構７は、前記キャッチ手段５において前記保持ストラップ４の所定の動きを可能にし、他のものとの間で、これは、図２からわかるように、保持ストラップ４において、限定された隙間を有する留め具３が設けられるという事実について補償する。等しい間隔の保持ストラップ４が、スロット２０を有し、その幅は該スロット同士の間隔２１よりも小さい。個の方法に於いて、保持ストラップ４の高い安定性が達成される。
【００１８】
保持ストラップ４の他端は、測定パイプ１の回りに巻回され、他方の側から前記キャッチ手段５に挿入される。個の目的のために、保持ストラップの他端が挿入される孔６の上のキャッチ手段５は、同様に留め機構が作用する貫通孔９を有し、貫通孔９に挿入された保持ストラップが締められた時に再び外れないように、特に図示されないキャッチエレメントが配され、保持ストラップ４の留め具３に相互作用するもう一つのレバー１０が設けられる。この目的のために、実質的にＶ字状のリーフスプリング１１が前記レバー１０に頂部から押圧し、これによって保持ストラップ４のスロット２０の一つに噛合し、リーフスプリング１１のスプリング力によってそこに保持されるキャッチエレメントに圧力がかかる。
【００１９】
この方法に於いて、キャッチ手段５は、保持ストラット４によって最初は、キャッチ手段５が測定パイプ１から落下せず、長手方向及び垂直方法の両方に移動可能なように、単に「緩く」装着される。
【００２０】
装着されるクランプオン式超音波流量測定装置のハウジングのための保持手段として、キャッチ手段５には、ネジロッド１２が設けられる。保持ストラップ４によって測定パイプ１に装着されるキャッチ手段５について、前記ネジロッド１２は、径方向外側に突出する。この点で前記ネジロッド１２によって、前記クランプオン式超音波流量測定装置のハウジング２は、下記するように、測定パイプ１に装着される。
【００２１】
前記ハウジング２は、孔１３を有し、それによって、ネジロッド１２に配され、測定パイプ１の外側の長手方向に設置される。測定パイプ１に前記ハウジング２を装着するために、前記ネジロッド１２にねじ込まれる刻み付ナット１４が設けられ、それによって、前記ハウジング２の上部を圧する。この刻み付ナット１４は、最初にそこに装着されるハウジング2と共に保持ストラップ４を有するキャッチ手段５が、測定パイプ１上を移動可能なままである範囲にしっかりと装着され、垂直方法及び長手方向の両方において圧される。この方法において、測定パイプ１へのハウジングの正しい整合は、ハウジング２が測定パイプ１から落下する危険性なしに実行される。
【００２２】
図１に示すように、測定パイプ１に装着されるハウジング２は、保持手段として認識されないネジロッドを有し、且つ測定パイプ１に固定される保持ストラップ１７を有する第２のキャッチ手段１５を有する。この点について、ネジロッドは、ハウジング２の上部の第２の孔１８に取り付けられて、第２の刻み付ナット１４によってそこに保持される。
【００２３】
第２の保持ストラップ１７が、同様に測定パイプ１の回りに配され、第２のキャッチ手段１５に取り付けられた後で、最終的にハウジング２は、容易に移動できないように整合され固定される。この固定は、保持ストラップ４，１７がキャッチ手段５，１５に取り付けられる前に、しっかりと固定するために刻み付ナット１４，１９によって行われる。
【００２４】
図５から概略的に理解されるように、わかりやすくするために、刻み付ナット及びハウジングが省略されているが、刻み付ナットをしっかりと固定することによって、前記キャッチ手段５は、保持ストラップ４の引っ張りを生じさせるための引っ張り力が全体的に付加されるように持ち上げられ、これによって、最終的に測定パイプ１へのハウジング２のしっかりとした取り付けを確保することができる。
【００２５】
前記クランプオン式超音波流量測定装置を装着する容易さに加えて、本発明の好ましい例によれば、簡単な脱着を確保することができる。キャッチ手段５のレバー１０又は第２のキャッチ手段１５について示されていない対応するレバーを上げることによって、保持ストラップ４，１７は、キャッチ手段５，１５から再び引き抜かれる。正確には同様な方法において、それぞれの保持ストラップ４，１７は、それぞれのキャッチ手段５，１５から、キャッチ手段５のレバー８又は第２のキャッチ手段１５について図示されない対応するレバーを上げることによって、取り外すことが可能である。このように、クランプオン式超音波流量測定装置は、例えばメンテナンスを目的として、装着装置を破壊することなしに、測定パイプ１から取り外すことができる。
【図面の簡単な説明】
【００２６】
【図１】クランプオン式流量測定装置に使用される本願発明の好ましい例に係る装着装置を示すものである。
【図２】本願発明の好ましい例に係る装着装置の保持ストラップを詳細に示すものである。
【図３】本願発明の好ましい例に係る装着装置のキャッチ手段の断面を示すものである。
【図４】本願発明の好ましい例に係るキャッチ手段の断面を示すものである。
【図５】本願発明の好ましい例に係る装着装置の装着原理を示すものである。
【符号の説明】
【００２７】
１  測定パイプ
２  ハウジング
３  留め具
４  保持ストラップ
５  キャッチ手段
１２  ネジロッド
【図１】
2007121299.tif 000003
【図２】
2007121299.tif 000004
【図３】
2007121299.tif 000005
【図４】
2007121299.tif 000006
【図５】
2007121299.tif 000007
【手続補正書】
【提出日】平成18年12月7日(2006.12.7)
【手続補正１】
【補正対象書類名】図面
【補正対象項目名】図１
【補正方法】変更
【補正の内容】
【図１】
2007121299.tif 000008
【手続補正２】
【補正対象書類名】図面
【補正対象項目名】図２
【補正方法】変更
【補正の内容】
【図２】
2007121299.tif 000009
【手続補正３】
【補正対象書類名】図面
【補正対象項目名】図３
【補正方法】変更
【補正の内容】
【図３】
2007121299.tif 000010
【手続補正４】
【補正対象書類名】図面
【補正対象項目名】図４
【補正方法】変更
【補正の内容】
【図４】
2007121299.tif 000011
【手続補正５】
【補正対象書類名】図面
【補正対象項目名】図５
【補正方法】変更
【補正の内容】
【図５】
2007121299.tif 000012